(57)【要約】【課題】コンタクトレンズ（ＣＬ）に発生する白濁を解消するための組成物及び方法を提供すること。【解決手段】少なくとも１種類以上のシクロデキストリンを有効成分として用いる。シクロデキストリンを含有する水溶液にＣＬを浸漬することによって、ＣＬに油脂成分が付着することによって発生すると考えられている白濁を解消できることと、白濁の発生を予防し得る。さらに、シクロデキストリンと界面活性剤を併用することによって、ＣＬに生じた白濁及び油脂成分を除去できる。【選択図】図１
2011203665.tif 000002
【特許請求の範囲】
【請求項１】
少なくとも1種類以上のシクロデキストリンを有効成分として含有する、コンタクトレンズ白濁解消用製剤。
【請求項２】
使用時におけるシクロデキストリン濃度が０．０００１重量％以上５０重量％以下である、請求項１に記載のコンタクトレンズ白濁解消用製剤。
【請求項３】
前記コンタクトレンズがシロキサン成分を含む酸素透過性コンタクトレンズである、請求項１又は２に記載のコンタクトレンズ白濁解消用製剤。
【請求項４】
少なくとも１種類以上の界面活性剤をさらに含有する、請求項１乃至３のいずれか１項に記載のコンタクトレンズ白濁解消用製剤。
【請求項５】
少なくとも１種類以上のシクロデキストリンを含有する水溶液にコンタクトレンズを浸漬することにより、コンタクトレンズの白濁解消方法。
【請求項６】
水溶液中のシクロデキストリン濃度が０．０００１重量％以上５０重量％以下である、請求項５に記載のコンタクトレンズの白濁解消方法。
【請求項７】
前記コンタクトレンズがシロキサン成分を含む酸素透過性コンタクトレンズである、請求項５又は６に記載のコンタクトレンズ白濁解消方法。
【請求項８】
前記水溶液が少なくとも１種類以上の界面活性剤をさらに含有する、請求項５乃至７のいずれか１項に記載のコンタクトレンズ白濁解消方法。
【発明の詳細な説明】
【技術分野】
【０００１】
本発明は、コンタクトレンズ（ＣＬ）、特に酸素透過性を向上させるシリコン系素材を含有するＣＬに生じる白濁を解消するための製剤及び方法であって、シクロデキストリンを有効成分として使用するものに関する。
【背景技術】
【０００２】
現在の有用な視力の矯正方法としては、眼鏡の使用、ＣＬの装用、又はＬＡＳＩＫを初めとする視力矯正手術が挙げられる。その中でもＣＬは、高い視力矯正力に加え、眼鏡の使用時よりも矯正された視野が広いこと、運動時でも安定した視界が得られること、さらに手術に比べ侵襲性が低いことから多くの人に使用されている。現在、日本では人口の約１３％に当たる１６００万人程度がＣＬを使用している。
【０００３】
ＣＬは、一般的にハードＣＬ（ＨＣＬ）とソフトＣＬ（ＳＣＬ）に大別される。ＨＣＬには、ポリメチルメタクリレート（ＰＭＭＡ）を用いた酸素透過性のないハードレンズと、フルオロメタクリレートやシロキサンメタクリルアミド等のフッ素又はケイ素を含有するモノマーからなる酸素透過性ハードレンズ（ＲＧＰＣＬ）がある。現在、ＨＣＬとして広く使用されているのは後者のＲＧＰＣＬである。
【０００４】
ＲＧＰＣＬは、酸素透過性が高く、ＣＬの装用による角膜への負担が少ない反面、装用による異物感が大きい。また、フッ素又はケイ素を含有する疎水性の高い素材を使用しているため、涙液中の油脂成分が付着しやすいという欠点がある。一方、ＳＣＬにはヒドロキシエチルメタクリレート（ＨＥＭＡ）又はＮ−ビニルピロリドン（ＮＶＰ）を用いた含水性ＳＣＬと、ブチルアクリレート又はジメチルシロキサン等を使用した非含水性ＳＣＬがある。現在、一般にＳＣＬと呼ばれ広く使用されているのは前者の含水性ソフトコンタクトレンズである。
【０００５】
含水性ＳＣＬはやわらかい素材を使用しているため、装用による異物感が小さく、激しい運動時でもＣＬがずれにくいという利点がある反面、素材が酸素を通しにくいので長時間の装用は角膜への負担が大きい。また、ＣＬの含水率を上げることで酸素透過性を向上させるためにメタクリル酸（ＭＡ）を含有する素材で作られたＳＣＬは、涙液中のタンパク質が付着しやすいという欠点がある。
【０００６】
このような状況の中で、近年、シリコーンハイドロゲル（ＳＨ）と呼ばれる素材を用いたＣＬ（シリコーンハイドロゲルレンズ：ＳＨＣＬ）が新たに開発され、ＣＬメーカー各社から上市された。ＳＨＣＬは酸素透過性の高いシロキサン（ケイ素）成分とＨＥＭＡ、ＮＰＶ又は熱可塑性塩化ビニル（ＴＰＶＣ）のようなハイドロゲル素材を重合した素材で作られており、ＨＣＬの酸素透過性の高さと、ＳＣＬの装用感の良さとを兼ね備えたＣＬとなっている。ＳＨＣＬは装用時の異物感が小さく、さらに酸素透過性が高いので角膜への負担も少なく、長時間の装用が可能な画期的なＣＬだと言える。
【０００７】
しかしながら、ＳＨＣＬも実装用とするにあたって、いくつかの問題が浮上した。その一つが装用によってレンズが白濁するというものである。ＳＨＣＬは、ＲＧＰＣＬと同様に構成成分にシロキサン（ケイ素）成分を含有する疎水性の高い素材を使用している。このため、涙液中の油脂成分がレンズに付着し、レンズが白濁するという事例が数多く報告された（例えば、非特許文献１参照）。また、この白濁の発生は、ＣＬへの油脂成分の付着及びＣＬ表面の性状に関係することが報告されており（例えば、非特許文献２）、油脂成分とＣＬ表面との何らかの相互作用によって発生するものと考えられる。
【０００８】
この白濁は、ＣＬをこすり洗いするという物理的な方法で除去することが可能であるが、こすり洗いの操作は煩雑であり、頻繁に行うには難がある。また、ユーザーの得手不得手もあるために、白濁の除去が不十分となる場合もあり、より簡便に白濁を解消する方法が求められていた。
【０００９】
一方、シクロデキストリン（ＣＤ）は５個以上のＤ−グルコースがα１−４結合によって結合し、環状構造をとった環状オリゴ糖である。一般的には、Ｄ−グルコースが６〜８個結合したものが知られており、それぞれ６個結合したものをα−ＣＤ、７個結合したものをβ−ＣＤ、８個結合したものをγ−ＣＤと呼ぶ。シクロデキストリンは他の多糖より比較的安定であり、さらに環状構造の内部は小さな分子を包接できる程度の孔となっている。また、シクロデキストリン環状構造の外側は親水性、内側は疎水性であるため疎水性の分子を包接しやすい。このような特性から、疎水性の物質の可溶化剤又は水などと反応しやすい物質の安定化剤として、医薬品や食品の分野においてシクロデキストリンは広く利用されている。
【００１０】
ＣＬケアの分野において、シクロデキストリンは消毒剤の安定化、タンパク質又は脂質のＣＬへの吸着抑制剤として使用されている（例えば、特許文献１〜１０参照）。また、ＣＬの洗浄成分としても使用されている（例えば、特許文献１１参照）。
【先行技術文献】
【特許文献】
【００１１】
【特許文献１】特開平９−２８５５２９号公報
【特許文献２】特開平１１−１５１２８８号公報
【特許文献３】特開２００１−３１８３５０号公報
【特許文献４】特開２００２−２８４７０６号公報
【特許文献５】特開２００２−２８４７０６号公報
【特許文献６】特表２００４−５３６６６８号公報
【特許文献７】特表２００４−５３８０９６号公報
【特許文献８】特開平８−１７５９７４号公報
【特許文献９】特開２００１−１２５０５２号公報
【特許文献１０】特開２００１−３１８３４８号公報
【特許文献１１】特開平４−２６４４２２号公報
【非特許文献】
【００１２】
【非特許文献１】植田喜一、柳井亮二：あたらしい眼科 ２５（７）：９２３〜９３０，２００８
【非特許文献２】中村滋、笹沼一博等：第６２回臨床眼科学会抄録集：ｐ６８
【発明の概要】
【発明が解決しようとする課題】
【００１３】
しかしながら、特許文献１１には、シクロデキストリンによる効果として、涙液に含まれるタンパク様物質等の除去及びＣＬへの堆積の防止が開示されているのみで、ＲＧＰＣＬ又はＳＨＣＬなどのＣＬの酸素透過性を向上させる疎水性成分を含有するＣＬに油脂成分が付着し、ＣＬ表面との相互作用によって発生する白濁への効果については全く記載されていない。そのため、ＲＧＰＣＬ又はＳＨＣＬ等のシロキサン成分を含有するＣＬの油脂成分の付着による白濁を解消するという課題は、いまだ未解決のままであった。
【００１４】
本発明は、ＣＬに油脂成分が付着することによって発生する白濁を解消するためのＣＬ白濁解消用製剤、及びＣＬ白濁解消方法の提供を目的とする。
【課題を解決するための手段】
【００１５】
上記課題を解決するために、本発明者等は鋭意研究を行った。その結果、ＣＬ、特に酸素透過性を向上させる成分を含有するＣＬに油脂成分が付着することで発生する白濁を、シクロデキストリンを含む水溶液にＣＬを浸漬することによって解消できることを見出した。また、シクロデキストリンを含む水溶液にＣＬを浸漬することによって、ＣＬに白濁が発生することも防止できることを見出し、本発明を完成するに至った。
【００１６】
具体的に、本発明は、
少なくとも1種類以上のシクロデキストリンを有効成分として含有する、ＣＬ白濁解消用製剤に関する。
【００１７】
また、本発明は、
少なくとも１種類以上のシクロデキストリンを含有する水溶液にＣＬを浸漬することにより、ＣＬの白濁解消方法に関する。
【００１８】
使用時におけるシクロデキストリン濃度は、０．０００１重量％以上５０重量％以下とすることが好ましい。ここで、本発明のＣＬ白濁解消用製剤の使用時とは、ＣＬを実際に処理する水溶液としたときを意味し、固体製剤等を水に溶解させて水溶液とした場合、高濃度液剤を希釈した場合等が該当する。
【００１９】
本発明のＣＬ白濁解消用製剤及びＣＬの白濁解消方法は、シロキサン成分を含む酸素透過性ＣＬに対して特に有用である。油脂成分が付着し易い素材のＣＬは、白濁が発生し易いからである。
【００２０】
ＣＬ白濁解消用製剤は、少なくとも１種類以上の界面活性剤をさらに含有することが好ましい。シクロデキストリンと界面活性剤とを併用することによって、ＣＬに発生した白濁と共に、油脂成分を含めて除去できるためである。
【発明の効果】
【００２１】
本発明によれば、ＣＬに生じる白濁を解消及び予防することができる。
【図面の簡単な説明】
【００２２】
【図１】実施例１の実験結果を示す図面である。
【図２】実施例２の実験結果を示す図面である。
【図３】実施例３の実験結果を示す図面である。
【図４】実施例４のコレステロール付着量の定量結果を示すグラフである。
【図５】実施例４の実験結果を示す写真である。
【発明を実施するための形態】
【００２３】
以下、本発明の実施の形態について、適宜図面を参酌しながら説明する。なお、本発明は、以下の記載に限定されない。
【００２４】
本発明は、ＣＬ表面に油脂成分が付着することに起因して発生すると考えられる白濁に対して適用される。本発明で使用する白濁解消用製剤は、ＣＬに発生した白濁を解消する成分として、少なくとも１種以上のシクロデキストリン（ＣＤ）を含有していれば足りる。
【００２５】
ここで、本発明の白濁解消用製剤は、液剤（水溶液）であってもよく、使用時に水溶液とするための粉末、顆粒又は錠剤等であってもよい。また、使用時に希釈するための液剤であってもよい。すなわち、ＣＬを洗浄する時点で白濁を解消する成分としてのシクロデキストリンを含有していればよく、それまでは液体、固体、エマルジョン、またはそれらの剤型から選択される複数の製剤の組合せであってもよい。
【００２６】
使用時（水溶液中）のシクロデキストリン濃度は、０．０００１ｗ／ｖ％以上５０．０ｗ／ｖ％以下の範囲とすることが好ましい。０．０００１ｗ／ｖ％未満では白濁解消効果が少なく、５０．０ｗ／ｖ％超ではシクロデキストリンが溶解し難くなり、製剤化が困難となるためである。
【００２７】
ここで用いられる「シクロデキストリン（ＣＤ）」は、（１）シクロデキストリンカルボネート、エーテル、エステル又はポリエーテルのような全てのシクロデキストリンの誘導体；（２）重合化β−シクロデキストリンのような重合化シクロデキストリンのポリマー又はコポリマー；（３）水酸基に官能基が結合した置換シクロデキストリン：を含む。なお、水酸基に結合する官能基としては、メチル基、エチル基、ヒドロキシエチル基、ヒドロキシプロピル基又はアセチル基が挙げられるが、これに限定されない。
【００２８】
本発明のＣＬ白濁解消用製剤には、シクロデキストリンによる白濁解消効果を妨げず、かつ、生体（目）及びＣＬの物性及び形状に対する何らの有意な影響を及ぼさない範囲において、殺菌剤、緩衝剤、等張化剤、キレート剤等の安定化剤、粘稠化剤又は界面活性剤等を含有させることができる。
【００２９】
殺菌剤は、ＣＬ、特に含水性ＣＬの殺菌消毒を目的で含有させることができる。殺菌剤は、ＣＬ用洗浄液等のＣＬ用製剤に一般的に用いられるものであれば特に差し支えない。例えば、塩酸ポリヘキサニド（ＰＨＭＢ）のようなビグアニド又はその塩類、塩化ポリドロニウムのような第４級アンモニウム塩、ハロゲン化ベンザルコニウム、過酸化水素等の酸化抗菌剤、ヨウ素化合物等を使用し得る。これらの殺菌剤は、各殺菌剤に応じたＣＬの殺菌消毒に十分であり、かつ、生体（目）への刺激及び悪影響がない濃度範囲で、ＣＬ白濁解消用製剤に含有させることができる。
【００３０】
緩衝剤は、ＣＬ白濁解消用製剤のｐＨを安定化する目的で含有させることができる。緩衝剤は、ＣＬ用洗浄液などのＣＬ用製剤又は眼科用製剤に一般的に用いられているものであれば特に差し支えない。例えば、リン酸一水素ナトリウム、リン酸二水素ナトリウム、リン酸一水素カリウム又はリン酸二水素カリウムのようなリン酸系緩衝剤；硼酸、硼酸ナトリウムのような硼酸系緩衝剤；トリスアミノメタンと希塩酸、トリスマレートと希水酸化ナトリウム液のようなトリス系緩衝剤：等を使用し得る。緩衝剤は０.０５ｗ／ｖ％以上１.０ｗ／ｖ％以下の濃度範囲とすることが好ましい。
【００３１】
本発明のＣＬ白濁解消用製剤は、使用時（水溶液）のｐＨ範囲を、ｐＨ５〜８とすることが好ましい。ｐＨ５未満の酸性領域及びｐＨ８超のアルカリ性領域では、眼刺激又は眼障害を生じる可能性があるので避けるべきである。
【００３２】
等張化剤は、ＣＬ白濁解消用製剤の使用時（水溶液）の浸透圧を調整する目的で、製剤中に含有させることができる。等張化剤は、ＣＬ用洗浄液等のＣＬ用製剤又は眼科用製剤に一般的に用いられているものであれば特に差し支えない。例えば、塩化ナトリウム、塩化カリウム、塩化マグネシウムなどのアルカリ又はアルカリ土類金属塩；グルコース、マンニトール、ソルビトール、キシリトール又はデキストラン等の糖質：を使用しうる。これら等張化剤は、単独で使用しても、２種以上併用してもよい。等張化剤の濃度は、０.５ｗ／ｖ％以上５.０ｗ／ｖ％以下の濃度範囲とすることが好ましい。本発明のＣＬ白濁解消用製剤の使用時（水溶液）の浸透圧は、生理食塩水を１とした場合、その浸透圧比が０.７〜１.３の範囲に収まるように、等張化剤の濃度を調整することが好ましい。
【００３３】
安定化剤は、ＣＬ白濁解消用製剤に含まれる成分を安定化する目的等で含有することができる。安定化剤は、ＣＬ用洗浄液等のＣＬ用製剤又は眼科用製剤に一般に用いられているものであれば特に差し支えない。例えば、エチレンジアミン四酢酸二ナトリウム、クエン酸又はクエン酸塩等を使用し得る。安定化剤は、０.０１ｗ／ｖ％以上０.２ｗ／ｖ％以下の濃度範囲とすることが好ましい。
【００３４】
粘稠化剤は、ＣＬ白濁解消用製剤の使用時（水溶液）の粘度を調整する目的で含有させることができる。粘稠化剤は、ＣＬ用洗浄液等のＣＬ用製剤又は眼科用製剤に一般に用いられているものであれば特に差し支えない。例えば、グリセリン、エチレングリコール、プロピレングリコール、ポリエチレングリコール又はポリビニルアルコール等のポリオール類；トレハロース、シュクロース、カルボキシメチルセルロース、ヒドロキシエチルセルロース、ヒドロキシプロピルメチルセルロース又はβ−シクロデキストリン等の糖質類；カルボキシビニルポリマー又はポリビニルピロリドン等の高分子：等を使用し得る。粘稠剤は、目的とするＣＬ白濁解消用製剤の使用時（水溶液）の粘性率によって適宜設定され、０.０５ｗ／ｖ％以上５.０ｗ／ｖ％以下の濃度範囲とすることが好ましい。
【００３５】
界面活性剤は、油脂成分又は糖質等をＣＬから除去する目的で、ＣＬ白濁解消用水溶液に含有させることができる。特に、シロキサン成分を含む酸素透過性ＣＬは、油脂成分が付着しやすく、白濁を生じやすいため、このようなＣＬを対象とする白濁解消用水溶液は、界面活性剤を含有していることが好ましい。
【００３６】
界面活性剤は、ＣＬ用洗浄液等のＣＬ用製剤又は眼科用製剤に一般的に用いられているものであれば特に差し支えない。例えば、非イオン性界面活性剤、陰イオン性界面活性剤、両性イオン界面活性剤等に分類される各種の界面活性剤を使用し得る。但し、界面活性剤が目と接触する可能性がある場合には、眼刺激及び細胞毒性等の目への影響を考慮した上で、界面活性剤の種類及び含有濃度を決定しなければならない。このような場合、非イオン性界面活性剤を使用することが好ましく、その濃度は０．０００１ｗ／ｖ％以上１０．０ｗ／ｖ％以下の範囲とすることが好ましい。
【００３７】
［実施例１］
（１）人工白濁ＣＬの作成
コレステロール及びオレイン酸を、終濃度５０μｇ／ｍｌになるように、それぞれテトラヒドロフラン（ＴＨＦ）に溶解させた。次に、これらコレステロール溶液及びオレイン酸溶液を１対１の割合で混合した（コレステロール／オレイン酸溶液）。試験管にリン酸緩衝化生理食塩水（Ｐｈｏｓｐａｔｅ  ｂｕｆｆｅｒ  ｓａｌｉｎｅ：ＰＢＳ）を１０ｍｌ取り、ボルテックスミキサーを用いて撹拌しながらコレステロール／オレイン酸溶液を５０μｌ加え、しばらく撹拌した。撹拌後の溶液を「汚れ液」と称する。
【００３８】
１２穴プレートに汚れ液を４ｍｌ分注し、その中にＳＨＳＣＬ（アキュビューアドバンス：ジョンソン・エンド・ジョンソン社製）を浸し、３５℃で２４時間静置した。２４時間後のＣＬを、人工白濁ＣＬとした。
【００３９】
（２）人工白濁ＣＬの処理
人工白濁ＣＬを、(a) ＰＢＳ、(b) １ｗ／ｖ％シクロデキストリン含有ＰＢＳ、又は(c) ０．１ｗ／ｖ％Ｔｗｅｅｎ８０含有ＰＢＳにそれぞれ浸漬し、２５℃で一晩静置した。
【００４０】
（３）ＣＬに残存する白濁の観察及びコレステロールの定量
(a)〜(c)の各溶液で処理したＣＬを、顕微鏡を用いて観察した。また、ヘキサンを用いて各ＣＬに付着したコレステロールを抽出し、ガスクロマトグラフィー（ＧＣ）を用いてコレステロール付着量を定量した。図１は、その結果を示す。
【００４１】
図１の顕微鏡写真から明らかなように、シクロデキストリンを含有する(b)の水溶液に浸漬した場合には、人工白濁ＣＬの白濁がほとんど解消された。一方、コレステロール付着量は、界面活性剤であるＴｗｅｅｎ８０を含有する(c)の水溶液に浸漬した場合が最も少なかったが、ＣＬ白濁は、(c)の水溶液では解消できなかった。このように、シクロデキストリンには白濁を解消する作用はあるが、白濁の原因と考えられているコレステロールを除去する効果はないことが確認された。
【００４２】
［実施例２］
（１）ＣＬの前処理
ＳＨＣＬ（アキュビューアドバンス：ジョンソン・エンド・ジョンソン社製）を、(a)ＰＢＳ又は(b) ２０ｗ／ｖ％シクロデキストリン含有ＰＢＳに浸漬し、４時間静置した。
【００４３】
（２）ＣＬへの白濁汚れの付加
（１）の処理後のＣＬについて、実施例１の（２）と同様の操作を行い、白濁汚れを付加した。
【００４４】
（３）ＣＬに残存する白濁の観察及びコレステロールの定量
実施例１と同様に、ＣＬを、顕微鏡を用いて観察した後、コレステロール付着量を定量した。図２は、その結果を示す。
【００４５】
図２の顕微鏡写真から明らかなように、シクロデキストリンを含有する(b)の水溶液に浸漬して前処理した場合には、ＣＬの白濁がほとんど発生しないことが確認された。ただし、一方、コレステロール付着量は、白濁が発生しなかった(b)の水溶液で前処理した場合の方が多かった。
【００４６】
［実施例３］
（１）人工白濁ＣＬの作成
実施例１と同様の操作によって、ＲＧＰＣＬを用いて人工白濁ＣＬを作成した。
【００４７】
（２）人工白濁ＣＬの処理
（１）で作成した人工白濁レンズを、(a) ＰＢＳ又は(b) ５ｗ／ｖ％シクロデキストリン含有ＰＢＳに浸漬し、２５℃で一晩静置した。
【００４８】
（３）ＣＬに残存する白濁の観察
実施例１と同様に、ＣＬを、顕微鏡を用いて観察した。図３は、その結果を示す。
【００４９】
(b)の水溶液で処理した場合には、ＣＬ白濁をほとんど解消することができた。一方、(a)の水溶液で処理した場合には、ＣＬ白濁は全く解消されなかった。
【００５０】
［実施例４］
（１）ＣＬへの人工白濁の付着
実施例１と同様の方法で汚れ液を作成し、汚れ液１ｍｌにＳＨＣＬ（アキュビューオアシス：ジョンソン・エンド・ジョンソン社製）を浸漬し、１４０ｒｐｍ、３５℃で６時間振盪した。
【００５１】
（２）人工白濁ＣＬの処理
（１）で作成した人工白濁ＣＬを、(a) ＰＢＳ、(b) ０．０２５ｗ／ｖ％ＨＣＯ−６０含有ＰＢＳ、(c) ０．０２５ｗ／ｖ％ＨＣＯ−６０＋０．０１２５ｗ／ｖ％シクロデキストリン含有ＰＢＳ、又は(d) ０．０２５ｗ／ｖ％ＨＣＯ−６０＋０．００６３ｗ／ｖ％シクロデキストリン含有ＰＢＳに浸漬し、室温で一晩静置した。また、（１）で作成した人工白濁ＣＬレンズを(e) 市販過酸化水素製剤Ａ又は(f) 市販過酸化水素製剤Ｂを用いて、それぞれの用法通り処理を行った。
【００５２】
（３）（１）および（２）の操作の繰り返し
（１）および（２）の操作を３回繰り返した。
【００５３】
（４）ＣＬに残存する白濁の観察およびコレステロールの定量
実施例１と同様に、ＣＬを、顕微鏡を用いて観察した後、ＧＣによってコレステロール付着量を定量した。図４及び図５は、その結果を示す。
【００５４】
図４の棒グラフから、コレステロール付着量は(b)の水溶液で処理した場合が最も少なく、次いで(c)及び(d)の水溶液で処理した場合が少なかった。しかし、図５の写真から、(c)及び(d)の水溶液で処理した場合には白濁が解消されるが、それら以外の水溶液で処理した場合には白濁がほとんど解消されないことが確認された。
【産業上の利用可能性】
【００５５】
本発明のＣＬの白濁解消用製剤及び白濁解消方法は、ＣＬ洗浄用製剤及びＣＬ洗浄方法として有用である。
【図１】
2011203665.tif 000003
【図２】
2011203665.tif 000004
【図３】
2011203665.tif 000005
【図４】
2011203665.tif 000006
【図５】
2011203665.tif 000007